(57)【特許請求の範囲】
【請求項１】
使用者の頸部に当てられる携帯用枕であって、
前記頸部の後側に当てられる中央部と、
前記中央部の両側に位置する両側部と、を備え、
前記両側部の高さは、前記中央部の高さよりも高くされており、
前記頸部の後側に前記中央部が当てられた状態において、前記両側部は、前記使用者の顔の両側に接触し、
前記中央部及び前記両側部を含む非通気性の袋体と、
前記袋体に設けられて前記袋体の内外の空気流通を開閉する開閉部と、を備え、
前記袋体は、前記開閉部によって空気流通を開放した状態とすることにより内部空間に空気が流入して厚くなり、前記空気流通を開放した状態で前記袋体に外力を付与することによって前記内部空間から空気が流出して薄くなり、
前記中央部の前記内部空間と、前記両側部の前記内部空間と、のそれぞれに収容された複数の弾性発泡体を備え、
複数の前記弾性発泡体は、前記袋体が最大容量となったときに、その体積が圧縮比１．５〜５．８に圧縮された状態となるように前記袋体に詰め込まれている、
携帯用枕。
【請求項２】
前記中央部の厚さは、前記両側部の厚さよりも薄い、
請求項１に記載の携帯用枕。
【請求項３】
前記中央部の内部空間と、前記両側部の内部空間とは連通しており、
前記開閉部は、前記両側部の少なくともいずれかに設けられている、
請求項１又は２に記載の携帯用枕。
【請求項４】
前記中央部の内部空間と前記両側部の内部空間とを仕切ると共に、前記中央部の内部空間と前記両側部の内部空間との間における前記弾性発泡体の流通を遮断するマチ部を備える、
請求項１〜３のいずれか一項に記載の携帯用枕。
【発明の詳細な説明】
【技術分野】
【０００１】
本発明は、持ち運びが可能な携帯用枕に関する。
【背景技術】
【０００２】
携帯用枕は、飛行機に乗って長時間移動等を行う使用者の頸部に当てられて使用される。特開２０１５−１７１６３４号公報には、使用者の頸部の後側に巻き付けられるＵ字状の携帯用枕が記載されている。この携帯用枕は、使用者の頸部に後方から接触する中央部と、使用者の頸部に左右両側から接触する両側部とを有する。また、この携帯用枕は、合成樹脂製のエアクッションが枕カバーで覆われることによって形成されている。
【０００３】
上記のエアクッションは、２枚のＵ字状の合成樹脂製シートが重ね合わされると共に各合成樹脂製シートの周縁が溶着されて形成されたチューブを備える。このチューブには、その内部に空気を入れるためのノズルが設けられている。ノズルにはキャップが取り付け可能となっており、キャップでノズルを封止することによってチューブ内からの空気流出が止められる。また、キャップをノズルから外すことによってチューブ内の空気を排出可能となっている。
【先行技術文献】
【特許文献】
【０００４】
【特許文献１】特開２０１５−１７１６３４号公報
【発明の概要】
【発明が解決しようとする課題】
【０００５】
前述した携帯用枕は、中央部及び両側部によって使用者の頸部を保護している。しかしながら、この携帯用枕は頸部のみに当てられるため、頸部にかかる圧力が大きく頸部を圧迫するという問題がある。また、前述の携帯用枕は、頸部しか保護していないため、携帯用枕を装着した状態で使用者が居眠りをすると、使用者の頸部が横に倒れてしまうことがある。従って、居眠りのとき等に頸部の位置が安定しないことがあり、使い心地の点で改善の余地がある。
【０００６】
本発明は、使い心地を良好にすることができる携帯用枕を提供することを目的とする。
【課題を解決するための手段】
【０００７】
本発明の一側面に係る携帯用枕は、使用者の頸部に当てられる携帯用枕であって、頸部の後側に当てられる中央部と、中央部の両側に位置する両側部と、を備え、両側部の高さは、中央部の高さよりも高くされており、頸部の後側に中央部が当てられた状態において、両側部は、使用者の顔の両側に接触し、中央部及び両側部を含む非通気性の袋体と、袋体に設けられて袋体の内外の空気流通を開閉する開閉部と、を備え、袋体は、開閉部によって空気流通を開放した状態とすることにより内部空間に空気が流入して厚くなり、空気流通を開放した状態で袋体に外力を付与することによって内部空間から空気が流出して薄くなり、中央部の内部空間と、両側部の内部空間と、のそれぞれに収容された複数の弾性発泡体を備え、複数の弾性発泡体は、袋体が最大容量となったときに、その体積が圧縮比１．５〜５．８に圧縮された状態となるように袋体に詰め込まれている。
【０００８】
この携帯用枕は、使用者の頸部に装着されたときに、両側部の高さが中央部の高さよりも高くなる。このように、両側部の高さを高くすることにより、装着時に、携帯用枕の両側部が使用者の顎の両側と耳の下側に当たり、両側部が使用者の顔の横側に接触するので、使用者の頸部及び顔を広く保護することができる。従って、使用者の頸部にかかる圧力を低減させることができ、頸部及び顔へのフィット感を良好にすることができる。また、使用者が居眠りをしたとしても、使用者の頸部及び顔が両側部に当たるので、頸部が横に倒れる問題を回避することができる。従って、頸部の位置を安定させることができ、使い心地を良好にすることができる。
【０００９】
また、中央部の厚さは、両側部の厚さよりも薄くてもよい。ここで、仮に、中央部の厚さが両側部の厚さと同一であるとすると、使用者の頸部が中央部に寄り掛かったときに、中央部が厚いので、頸部に対する圧迫感が大きくなる。よって、中央部に対する頸部のフィット感が良好でないという問題が生じうる。そこで、前述のように、中央部の厚さを両側部の厚さよりも薄くすることにより、使用者の頸部を中央部に入り込ませることができる。従って、中央部に対する頸部のフィット感を良好にすることができる。
【００１０】
また、中央部の内部空間と、両側部の内部空間とは連通しており、開閉部は、両側部の少なくともいずれかに設けられていてもよい。この場合、開閉部で空気流通を開放させることによって、袋体の内部空間に空気が流入して厚くなる。このように、開閉部を開放させると、空気が袋体の内部空間に流入し、これに伴い携帯用枕を厚くすることができるので、内部空間への空気の圧送は不要である。よって、携帯用枕を厚くして膨らます作業を容易に行うことができる。また、空気流通を開閉する開閉部が両側部に設けられるので、携帯用枕が頸部に当てられたときに、開閉部は使用者から見て左右両側に位置することになる。従って、装着した状態で使用者が簡単に開閉部に触れることができるので、携帯用枕を膨らます作業を一層容易に行うことができる。また、開閉部が両側部に設けられることにより、携帯用枕を外して、携帯用枕を薄くした後に又は携帯用枕を薄くしながら、両側部から中央部に向かって携帯用枕を丸め込みやすくすることができる。従って、携帯用枕をコンパクトにする作業を容易に行うこともできる。
【００１１】
また、中央部の内部空間と両側部の内部空間とを仕切ると共に、中央部の内部空間と両側部の内部空間との間における弾性発泡体の流通を遮断するマチ部を備えてもよい。この場合、携帯用枕の内部空間に複数の弾性発泡体が収容されるので、頸部が携帯用枕に接触したときのフィット感を更に良好にすることができる。また、マチ部によって中央部と両側部との間における弾性発泡体の流通が遮断されるので、中央部及び両側部のそれぞれに収容する弾性発泡体の量を定めることができる。すなわち、中央部及び両側部それぞれに収容する弾性発泡体の量を予め調整すると共に、中央部の弾性発泡体の量と両側部の弾性発泡体の量とを一定にすることができるので、良好なフィット感が維持された携帯用枕とすることができる。
【発明の効果】
【００１２】
本発明の一側面によれば、使い心地を良好にすることができる。
【図面の簡単な説明】
【００１３】
【図１】本実施形態に係る携帯用枕を上から見た状態を示す斜視図である。
【図２】図１の携帯用枕の中央部と両側部との境目部分を示す図である。
【図３】内袋、及びその内部に設けられたマチ部を示す斜視図である。
【図４】（ａ）は図３のＡ−Ａ線断面図である。（ｂ）は弾性発泡体を示す斜視図である。
【図５】（ａ）は閉じた状態の開閉部を示す側面図である。（ｂ）は開いた状態の開閉部を示す側面図である。
【図６】図１の携帯用枕の使用例を示す正面図である。
【図７】図７の使用例の背面図である。
【図８】変形例に係る携帯用枕の内袋を示す斜視図である。
【発明を実施するための形態】
【００１４】
以下、図面を参照しながら本発明に係る携帯用枕の実施形態について説明する。以下の説明において、同一又は相当する要素には同一の符号を付し、重複する説明を省略する。
【００１５】
図１に示されるように、本実施形態に係る携帯用枕１は、山状に盛り上がる一対の両側部２と、２つの両側部２の間に位置する中央部３とを備えている。携帯用枕１は、全体として、両側部２及び中央部３が並ぶ並設方向Ａ１に延びている。並設方向Ａ１は、携帯用枕１の長手方向と一致する。
【００１６】
携帯用枕１は、中央部３が使用者Ｍの頸部Ｍ１に後方から当てられると共に各両側部２が頸部Ｍ１の両側に当てられることによって使用される（図６及び図７参照）。携帯用枕１の並設方向Ａ１の一端及び他端には、当該一端と当該他端とを接続させる留め具としてサイドリリースバックル４が設けられている。また、携帯用枕１の並設方向Ａ１の一端には、携帯用枕１の内外における空気流通を開閉する吸排気弁５（開閉部）が設けられている。
【００１７】
両側部２は、中央部３の並設方向Ａ１の両側に一対に設けられている。両側部２は、下辺２ａと、携帯用枕１の幅方向Ａ２に延びる端辺２ｂと、端辺２ｂの上端２ｃから中央部３に向かって山状に湾曲する山部２ｄと、を有する。下辺２ａは、頸部Ｍ１の下側に位置すると共に、並設方向Ａ１に直線状に延びる。端辺２ｂは、下辺２ａの並設方向Ａ１の端部２ｅから幅方向Ａ２に延びる。例えば、並設方向Ａ１及び幅方向Ａ２は、互いに直交している。山部２ｄは、上端２ｃから斜め上方に延びる第１傾斜部２ｆと、中央部３から斜め上方に延びる第２傾斜部２ｇと、第１傾斜部２ｆ及び第２傾斜部２ｇを接続する頂部２ｈと、を有する。
【００１８】
端辺２ｂからは、頸部Ｍ１の前側に位置する紐部６が並設方向Ａ１に延びており、この紐部６の先端にサイドリリースバックル４が取り付けられている。サイドリリースバックル４は、プラグ４ａと、プラグ４ａが差し込まれるソケット４ｂとを備えている。例えば、吸排気弁５が設けられる側の紐部６にプラグ４ａが取り付けられており、反対側の紐部６にソケット４ｂが取り付けられており、携帯用枕１の装着時に吸排気弁５及びプラグ４ａは使用者Ｍから見て右側に位置する。中央部３を頸部Ｍ１の後側に接触させてソケット４ｂにプラグ４ａを差し込むことにより、携帯用枕１は使用者Ｍに装着される。
【００１９】
中央部３は、一対の両側部２の間に位置しており、全体として長方形状となっている。中央部３は、頸部Ｍ１の下側に位置する下辺３ａと、頸部Ｍ１の上側に位置する上辺３ｂとを有する。下辺３ａは、並設方向Ａ１に直線状に延び、下辺３ａの両端は両側部２の下辺２ａに連続している。また、上辺３ｂも並設方向Ａ１に直線状に延び、上辺３ｂの両端は山部２ｄの第２傾斜部２ｇの下端に連続している。上辺３ｂと、その両側に位置する第２傾斜部２ｇとによって、使用者Ｍの後頭部Ｍ２が入り込む凹部１ａが形成される（図７参照）。
【００２０】
中央部３の幅方向Ａ２の長さＬ１は、両側部２の幅方向Ａ２の長さＬ２よりも短い。長さＬ２は、頂部２ｈにおける両側部２の幅方向Ａ２の長さを示している。これにより、中央部３は、使用者Ｍの頸部Ｍ１の後側に接触するが、両側部２は、使用者Ｍの頸部Ｍ１だけでなく使用者Ｍの顔Ｍ３（図６参照）にも接触する。また、図２に示されるように、中央部３の厚さＴ１は、両側部２の厚さＴ２よりも薄くなっている。なお、図２は、両側部２及び中央部３を下辺２ａ，３ａ側から見た図である。
【００２１】
図１及び図３に示されるように、携帯用枕１は、カバー７と、カバー７の内部に収容される袋体８とを備えており、カバー７及び袋体８は、携帯用枕１全体としての形状に倣う形状となっている。袋体８は非通気性を有する。図４（ａ）及び図４（ｂ）に示されるように、袋体８には、複数の弾性発泡体９が収容されており、複数の弾性発泡体９は、例えば袋体８の最大容量に対して圧縮された状態で詰め込まれている。弾性発泡体９は、袋体８の中詰材（中芯）として機能する。
【００２２】
例えば、複数の弾性発泡体９は、その体積が圧縮比１．５〜５．８程度に圧縮された状態で最大容量となった袋体８に詰め込まれる。ここで、「圧縮比」とは、圧縮されていない状態と袋体８の内部で圧縮された状態とにおける、複数の弾性発泡体９全体としての体積の比を示している。袋体８に詰め込まれていない常温常圧下において、弾性発泡体９は、直方体状となっており、好ましくは発泡ウレタンを立方体状（サイコロ状）とした形状となっている。
【００２３】
弾性発泡体９を構成する発泡ウレタンは、表面張力が大きく、引っ張り込まれて変形しやすいという性質を有する。また、弾性発泡体９の内部には空気が含まれているため、弾性発泡体９の圧縮及び膨張が可能となっている。例えば、弾性発泡体９の密度は２０ｋｇ／ｍ３以上且つ９０ｋｇ／ｍ３以下であり、弾性発泡体９の硬度は１５Ｎ以上且つ１２０Ｎ以下である。これらの密度及び硬度は、ＪＩＳＫ６４０１に準拠している。
【００２４】
また、弾性発泡体９の少なくとも一つの面に穴が形成されていてもよい。この穴は、例えば、正方形状の面９ａの中央で貫通する円柱状の孔部である。このように、弾性発泡体９の少なくとも一つの面に穴を形成することにより、弾性発泡体９を柔らかくすることができ、弾性発泡体９が凹む速度、及び弾性発泡体９が膨らむ速度をゆっくりにすることができる。例えば、製造した弾性発泡体９が硬い場合であっても、上記の穴を形成することにより弾性発泡体９を柔らかくすることができる。
【００２５】
図３に示されるように、袋体８の内部空間Ｓは３分割されている。袋体８は、左側の両側部２を形成する領域８ａと、右側の両側部２を形成する領域８ｂと、中央部３を形成する領域８ｃとを備える。このように、袋体８は、その内部空間Ｓに、弾性発泡体９が詰め込まれる複数の領域８ａ〜８ｃを備えており、各領域８ａ〜８ｃに弾性発泡体９が圧縮された状態で詰め込まれる。
【００２６】
これにより、両側部２及び中央部３の盛り上がり具合が定められる。すなわち、袋体８の各領域８ａ〜８ｃに詰め込む弾性発泡体９の量を予め調整することによって、初期状態における両側部２及び中央部３の形状を調整可能となっている。また、仕切られた領域８ａ〜８ｃのそれそれに所定数の弾性発泡体９が詰め込まれることによって、使用者Ｍに、より良い寝心地の携帯用枕１を提供することが可能となる。
【００２７】
また、本実施形態では、両側部２を厚くすると共に、中央部３を薄くするように弾性発泡体９の量が調整されている。すなわち、領域８ｃと比較して、領域８ａ，８ｂに詰め込む弾性発泡体９の密度を高くすることにより、両側部２を中央部３よりも厚くしている。このように、両側部２を中央部３よりも厚くすることによって、両側部２を、使用者Ｍが横を向いたときの顔Ｍ３のクッションとなるようにしている。
【００２８】
袋体８は、その内部に、前述の領域８ａ〜８ｃを仕切るマチ部１０ａ，１０ｂを有する。マチ部１０ａは、左側の領域８ａと、中央部分に位置する領域８ｃとを仕切っている。マチ部１０ｂは、右側の領域８ｂと領域８ｃとを仕切っている。マチ部１０ａは、左側の領域８ａと中央の領域８ｃとの間で幅方向Ａ２に延びており、左側の両側部２と中央部３とを仕切っている。マチ部１０ｂは、右側の領域８ｂと領域８ｃとの間で幅方向Ａ２に延びており、右側の両側部２と中央部３とを仕切っている。
【００２９】
マチ部１０ａの幅方向Ａ２の両側には、開口１１ａが設けられており、マチ部１０ｂの幅方向Ａ２の両側にも同様の開口１１ｂが設けられている。開口１１ａは、左側の領域８ａと中央の領域８ｃとの空気流通を可能としており、開口１１ｂは、右側の領域８ｂと中央の領域８ｃとの空気流通を可能としている。また、開口１１ａ，１１ｂは、弾性発泡体９が通らない程度の大きさとなっており、開口１１ａ，１１ｂには空気のみが通れるようになっている。
【００３０】
吸排気弁５は、袋体８の右側の端部に設けられている。吸排気弁５の材料としては、例えばＰＶＣ又はポリウレタンを用いることができる。図５に示されるように、吸排気弁５は、回転式となっており、使用者Ｍによって回転操作されることにより袋体８の開放及び閉塞が可能となっている。この吸排気弁５の開放及び閉塞により、携帯用枕１の内部の空気量が調整され、携帯用枕１の厚さが調整される。
【００３１】
吸排気弁５は、袋体８を貫通する開口に取り付けられた板状の取付部５ａと、回転することによって取付部５ａに対し上下に移動可能となっている円柱状の蓋部５ｂとを備えている。取付部５ａは、袋体８の上記開口に固着される固着部５ｃと、固着部５ｃ上に位置する台座部５ｄとを含んでいる。吸排気弁５では、蓋部５ｂが中心軸線Ｌを中心として一方向（例えば反時計回り）に回転操作されることにより、台座部５ｄから蓋部５ｂが上昇し、この蓋部５ｂの上昇に伴って袋体８の上記開口が開放される。また、蓋部５ｂが中心軸線Ｌを中心として他方向（例えば時計回り）に回転操作されることにより蓋部５ｂが下降し、蓋部５ｂが台座部５ｄに接触するときに袋体８の上記開口が閉塞される。
【００３２】
また、袋体８の上記開口に対する吸排気弁５の高さは抑えられている。具体的には、従来の吸排気弁の高さが４０．０ｍｍ程度であるのに対し、吸排気弁５の高さは１５．５ｍｍ程度となっている。このように吸排気弁５の高さを４０．０ｍｍ未満として吸排気弁５の高さを抑えることにより、使用者Ｍの身体等が吸排気弁５に当接したり引っ掛かったりする事態を抑制することができる。なお、吸排気弁５を構成する各部品の材料や形状は、上記に限定されず、袋体８内への空気流通の開閉が可能であれば他の材料や形状であってもよい。
【００３３】
次に、携帯用枕１の使用方法の例について図１、図６及び図７を参照して説明する。まず、図１に示される携帯用枕１を、吸排気弁５が使用者Ｍから見て右側に位置するように、使用者Ｍが手で取る。そして、中央部３の裏面（図１の紙面奥側に位置する面）を頸部Ｍ１の後側に当てて、各両側部２を使用者Ｍの顔Ｍ３の両側を覆うように、携帯用枕１を使用者Ｍの頸部Ｍ１に巻き付ける。
【００３４】
そして、図６及び図７に示されるように、使用者Ｍの頸部Ｍ１の前側において、サイドリリースバックル４のプラグ４ａをソケット４ｂに差し込み、２つの両側部２をサイドリリースバックル４及び紐部６を介して連結させる。このようにして、中央部３が頸部Ｍ１の後側に当たると共に、両側部２が使用者Ｍの顔Ｍ３及び頸部Ｍ１に左右両側から当たることによって、使用者Ｍへの携帯用枕１の装着が完了する。
【００３５】
上記のように携帯用枕１を装着させた状態において、使用者Ｍが吸排気弁５の蓋部５ｂを一方向に回転操作することにより、袋体８の内部空間Ｓに空気を流入させて携帯用枕１をゆっくりと厚くする。そして、蓋部５ｂを他方向に回転操作することによって内部空間Ｓへの空気流入を遮断し、携帯用枕１の厚さを所望の状態で維持させる。このように、携帯用枕１は、吸排気弁５の操作で内部空間Ｓへの空気流入が調整されるので、装着した状態で携帯用枕１を厚くすることが可能となっている。
【００３６】
また、携帯用枕１を使用者Ｍから取り外すときには、サイドリリースバックル４のソケット４ｂからプラグ４ａを外して、２つの両側部２を離間させる。そして、蓋部５ｂを一方向に回転操作して携帯用枕１に外力を与えることにより、内部空間Ｓから空気を流出させて携帯用枕１を収縮させる。携帯用枕１を収縮させた後には、例えば、図１に示される状態において、吸排気弁５を有する両側部２から携帯用枕１を中央部３側に巻いていくことにより、携帯用枕１をコンパクトに丸め込むことが可能である。
【００３７】
次に、本実施形態に係る携帯用枕１によって得られる効果について説明する。
【００３８】
携帯用枕１は、使用者Ｍの頸部Ｍ１の後側に巻かれたときに、両側部２の高さが中央部３の高さよりも高くなる。このように、両側部２の高さを高くすることにより、装着時に、携帯用枕１の両側部２が使用者Ｍの顎の両側と耳の下側に当たり、両側部２が使用者Ｍの顔Ｍ３の両側に接触するので、使用者Ｍの頸部Ｍ１及び顔Ｍ３を広く保護することができる。
【００３９】
従って、使用者Ｍの頸部Ｍ１にかかる圧力を低減させることができるので、頸部Ｍ１へのフィット感を良好にすることができる。また、使用者Ｍが居眠りをしたとしても、使用者Ｍの頸部Ｍ１及び顔Ｍ３が両側部２に当たるので、使用者Ｍの頸部Ｍ１が横に倒れるのを抑制することができる。従って、使用者Ｍが居眠り等をしても頸部Ｍ１の位置を安定させることができ、使い心地を良好にすることができる。
【００４０】
また、中央部３の厚さは、両側部２の厚さよりも薄い。このように、中央部３の厚さを両側部２の厚さよりも薄くすることにより、頸部Ｍ１を中央部３に入り込ませることができる。従って、中央部３に対する頸部Ｍ１のフィット感を良好にすることができる。
【００４１】
携帯用枕１は、非通気性の袋体８と、袋体８の内外の空気流通を開閉する吸排気弁５とを備え、吸排気弁５で空気流通を開放させることによって、袋体８の内部空間Ｓに空気が流入して厚くなる。従って、吸排気弁５を開放させると、空気が袋体８の内部空間Ｓに流入し、これに伴い、携帯用枕１を厚くすることができるので、内部への空気の圧送は不要である。よって、携帯用枕１を厚くして膨らます作業を容易に行うことができる。
【００４２】
また、吸排気弁５は、両側部２に設けられている。よって、空気流通を開閉する吸排気弁５が両側部２に設けられるので、携帯用枕１の装着時に、吸排気弁５は使用者Ｍから見て左右両側（図６では使用者Ｍから見て右側）に位置することになる。従って、装着した状態で使用者Ｍが簡単に吸排気弁５に触れることができるので、携帯用枕１を膨らます作業を一層容易に行うことができる。更に、吸排気弁５が使用者Ｍから見て右側に位置する場合には、右利きの使用者Ｍが容易に吸排気弁５を回転操作できる。
【００４３】
また、吸排気弁５が両側部２に設けられることにより、携帯用枕１に外力を付与して、携帯用枕１を薄くした後に又は薄くしながら、吸排気弁５が設けられていない両側部２から中央部３に向かって携帯用枕１を一気に丸め込むことができる。従って、両側部２から中央部３に向かって携帯用枕１を丸め込みやすくすることができ、携帯用枕１をコンパクトにする作業を容易に行うこともできる。
【００４４】
また、携帯用枕１は、中央部３の内部空間Ｓ（領域８ｃ）と、両側部２の内部空間Ｓ（領域８ａ及び領域８ｂ）と、のそれぞれに収容された複数の弾性発泡体９と、中央部３の内部空間Ｓと両側部２の内部空間Ｓとを仕切ると共に、中央部３の内部空間Ｓと両側部２の内部空間Ｓとの間における弾性発泡体９の流通を遮断するマチ部１０ａ，１０ｂを備える。従って、携帯用枕１の内部空間Ｓに複数の弾性発泡体９が収容されるので、使用者Ｍの身体が携帯用枕１に接触したときのフィット感を更に良好にすることができる。
【００４５】
また、マチ部１０ａ，１０ｂによって中央部３と両側部２との間における弾性発泡体９の流通が遮断されるので、中央部３及び両側部２のそれぞれに収容する弾性発泡体９の量を定めることができる。すなわち、中央部３及び両側部２それぞれに対する弾性発泡体９の量を予め調整し、中央部３の弾性発泡体９の量と両側部２の弾性発泡体９の量とを一定にできるので、フィット感が良好な状態が維持された携帯用枕１を提供することができる。
【００４６】
以上、本発明の実施形態について説明したが、本発明は、前述した実施形態に限定されることなく、請求項に記載した要旨を変更しない範囲で変形してもよい。すなわち、本発明は、特許請求の範囲に記載した要旨を変更しない範囲で種々の変形が可能である。
【００４７】
例えば、前述した実施形態では、カバー７及び袋体８が、携帯用枕１全体としての形状に倣う形状となっている例について説明した。しかしながら、カバー及び袋体の形状については上記の例に限定されない。例えば、カバーの形状を、敢えて袋体の形状と変えることによって、携帯用枕全体としての形状を変えることもできる。具体的には、カバーの形状を袋体の形状と異ならせることによって、例えば両側部２の頂部２ｈの高さを低くすることも可能である。
【００４８】
また、前述した実施形態では、両側部２が山状に湾曲する山部２ｄを有し、中央部３が長方形状となっている例について説明したが、両側部及び中央部の形状は、この例に限定されず適宜変更可能である。例えば、図８に示される変形例の携帯用枕の袋体８Ａのように、２つの両側部１２と、２つの両側部１２の間に位置する中央部１３と、を有し、各両側部１２が相手の両側部１２を接続する接続部１２ａを備えていてもよい。この接続部１２ａは、各両側部１２において斜め上方に延びており、２つの接続部１２ａの上端同士が接続されている。これらの接続部１２ａ及び中央部１３によって使用者Ｍの後頭部Ｍ２が入り込む輪状空間Ｗが形成される。
【００４９】
また、前述した実施形態では、携帯用枕１を使用者Ｍの身体に装着した後に、吸排気弁５を開放して携帯用枕１を膨らませる例について説明した。しかしながら、吸排気弁５を開放して携帯用枕１をある程度膨らませて携帯用枕１の厚さを調整し、その後に携帯用枕１を使用者Ｍの身体に装着させてもよい。すなわち、携帯用枕１を膨らませるタイミングと、携帯用枕１の装着のタイミングについては特に限定されない。
【００５０】
また、前述の実施形態では、２つの両側部２を連結させる連結手段としてサイドリリースバックル４及び紐部６を用いる例について説明したが、この連結手段としてはサイドリリースバックル４又は紐部６以外のものを用いることも可能である。例えば、サイドリリースバックル４を省略し、２本の紐部を結ぶことによって、２つの両側部２を連結させてもよい。
【００５１】
また、前述の実施形態では、弾性発泡体９が発泡ウレタンで構成されている例について説明した。しかしながら、弾性発泡体９の材料としては、ウレタン以外のものを用いることも可能である。例えば、ウレタン製の弾性発泡体９に代えて、ポリエステル、シリコン、又はニトリルゴム（ＮＢＲ）などのゴム製の弾性発泡体を用いてもよい。
【００５２】
また、前述の実施形態では、弾性発泡体９の面９ａに穴を形成する例について説明したが、この穴の形状は、円形状であってもよいし、長円形状であってもよいし、多角形状であってもよい。但し、上記の穴の形状を円形状又は長円形状とすると、穴が裂ける問題を確実に回避することができる。また、この穴は、貫通していなくてもよい。更に、当該穴の大きさ、数又は形状は、弾性発泡体９の硬度に応じて変更されてもよい。
【００５３】
また、前述の実施形態では、携帯用枕１が回転操作可能な吸排気弁５を備える例について説明した。しかしながら、袋体８の内外の空気流通を開閉する開閉部としては、吸排気弁５以外のものを用いることも可能である。例えば、吸排気弁５に代えて、スライド式の開閉部を備えていてもよい。この場合、例えば開閉部を一方向にスライド移動させることによって袋体８を開放し、開閉部を他方向にスライド移動させることによって袋体８の開口を閉塞させる。
【００５４】
また、前述の実施形態では、弾性発泡体９が圧縮して詰め込まれており、弾性発泡体９の膨張によって吸排気弁５が空気を流入して携帯用枕１が膨らむ例について説明した。しかしながら、弾性発泡体９が無くても自動的に空気を流入する吸排気弁を設けてもよい。更に、前述した実施形態では、携帯用枕１が１個の吸排気弁５を備えていたが、２個以上の吸排気弁５を備えていてもよい。更に、吸排気弁５の場所を変更することも可能である。
【００５５】
また、前述した実施形態では、マチ部１０ａ，１０ｂがそれぞれの両側に開口１１ａ，１１ｂを備えていた。しかしながら、マチ部が有する開口の位置、形状、大きさ及び個数は、上記開口１１ａ，１１ｂの態様に限定されず、適宜変更可能である。更に、マチ部の数、形状及び配置態様についても適宜変更可能であり、マチ部を省略してもよい。
【００５６】
また、本発明の携帯用枕は、その厚みを確保するマチを備えていてもよい。このマチは、例えば、携帯用枕の底部（下辺２ａ，３ａの部分）に設けられていてもよいし、携帯用枕の周縁全体に設けられていてもよい。このように携帯用枕がマチを備えている場合、携帯用枕の厚みが増すと共に、使用者Ｍの肩の部分に当該マチが乗ることにより、使用者Ｍの身体に対して包まれる感覚を高めることができ、使用者Ｍの身体に対する安定感を高めることができる。
【符号の説明】
【００５７】
１…携帯用枕、１ａ…凹部、２，１２…両側部、２ａ…下辺、２ｂ…端辺、２ｃ…上端、２ｄ…山部、２ｅ…端部、２ｆ…第１傾斜部、２ｇ…第２傾斜部、２ｈ…頂部、３，１３…中央部、３ａ…下辺、３ｂ…上辺、４…サイドリリースバックル、４ａ…プラグ、４ｂ…ソケット、５…吸排気弁（開閉部）、５ａ…取付部、５ｂ…蓋部、５ｃ…固着部、５ｄ…台座部、６…紐部、７…カバー、８，８Ａ…袋体、８ａ，８ｂ，８ｃ…領域、９…弾性発泡体、９ａ…面、１０ａ，１０ｂ…マチ部、１１ａ，１１ｂ…開口、１２ａ…接続部、Ａ１…並設方向、Ａ２…幅方向、Ｌ…中心軸線、Ｍ…使用者、Ｍ１…頸部、Ｍ２…後頭部、Ｍ３…顔、Ｓ…内部空間、Ｗ…輪状空間。
【図１】
0006706923.tif 000002
【図２】
0006706923.tif 000003
【図３】
0006706923.tif 000004
【図４】
0006706923.tif 000005
【図５】
0006706923.tif 000006
【図６】
0006706923.tif 000007
【図７】
0006706923.tif 000008
【図８】
0006706923.tif 000009